(57)【特許請求の範囲】
【請求項１】
表面から光を放射する発光パネルと、この発光パネルを裏面側から覆って収容する筐体と、この筐体内に配設され、前記発光パネルに側方から係合して当該発光パネルを着脱可能に保持する保持部材とを備え、
前記筐体内には、前記保持部材を前記筐体の開口する方向に揺動可能となるように支持する揺動支持部が設けられており、
前記発光パネルの端部には、電力の供給を受けるための端子部が設けられているとともに、前記揺動支持部には、前記発光パネルに電力を供給するための給電部が設けられており、
前記保持部材には、前記端子部と前記給電部とを電気的に接続するための中継端子が設けられている一方、
前記給電部と中継端子とは、前記保持部材が前記筐体の開口する方向に揺動したときに互いに非接触となり、保持部材が筐体の開口する方向と反対方向に揺動して前記発光パネルが筐体内に収容されたときに互いに接触するように構成されていることを特徴とする発光パネル式照明器具。
【請求項２】
前記発光パネルには、当該発光パネルが前記筐体内に収容された状態を保つために、前記筐体に着脱可能に係合して前記保持部材の揺動を規制する係合部が設けられていることを特徴とする請求項１に記載の発光パネル式照明器具。
【請求項３】
前記保持部材は、前記発光パネルが差し込み可能な凹溝を有していて、この凹溝の溝幅が広がる方向に弾性変形可能となっており、
前記凹溝の側面には、突起が設けられているとともに、前記発光パネルには、当該発光パネルが凹溝に差し込まれたときに、前記突起が嵌合する嵌合穴が設けられていることを特徴とする請求項１または２に記載の発光パネル式照明器具。
【発明の詳細な説明】
【技術分野】
【０００１】
本発明は、発光パネルを用いた発光パネル式照明器具に関するものである。
【背景技術】
【０００２】
従来、薄型ランプを筐体に収容した照明器具が知られている。例えば、特許文献１には、磁石の吸引力を利用して薄型ランプを筐体に保持させるとともに、筐体に薄型ランプを離間させるように揺動する操作部を設け、この操作部を操作することによりワンタッチで薄型ランプを取り外しできるようにした照明器具が記載されている。
【特許文献１】特開２００１−３３８７２３号公報
【発明の開示】
【発明が解決しようとする課題】
【０００３】
しかしながら、このような照明器具を天井に配設した場合には、薄型ランプを交換する際に、薄型ランプを支えるために高い作業台を使用する等して天井に接近する必要があり、薄型ランプの交換の作業性がよくなかった。
【０００４】
近年では、有機ＥＬ（Electro Luminescence）や無機ＥＬを利用した発光パネルを照明器具の光源として用いることが試みられている。このような発光パネルは、厚みが数ミリ程度と従来の薄型ランプよりもさらに薄いので、この発光パネルを用いた照明器具に前記の構造を採用した場合には、さらに天井に接近する必要がある。
【０００５】
本発明は、このような事情に鑑み、発光パネルの交換の作業性を向上させることができる発光パネル式照明器具を提供することを目的とする。
【課題を解決するための手段】
【０００６】
前記課題を解決するために、本発明の発光パネル式照明器具は、表面から光を放射する発光パネルと、この発光パネルを裏面側から覆って収容する筐体と、この筐体内に配設され、前記発光パネルに側方から係合して当該発光パネルを着脱可能に保持する保持部材とを備え、前記筐体内には、前記保持部材を前記筐体の開口する方向に揺動可能となるように支持する揺動支持部が設けられており、前記発光パネルの端部には、電力の供給を受けるための端子部が設けられているとともに、前記揺動支持部には、前記発光パネルに電力を供給するための給電部が設けられており、前記保持部材には、前記端子部と前記給電部とを電気的に接続するための中継端子が設けられている一方、前記給電部と中継端子とは、前記保持部材が前記筐体の開口する方向に揺動したときに互いに非接触となり、保持部材が筐体の開口する方向と反対方向に揺動して前記発光パネルが筐体内に収容されたときに互いに接触するように構成されていることを特徴とするものである。
【０００８】
安全性を向上させるために、前記発光パネルには、当該発光パネルが前記筐体内に収容された状態を保つために、前記筐体に着脱可能に係合して前記保持部材の揺動を規制する係合部が設けられていることが好ましい。
【０００９】
簡単な形状で発光パネルを保持部材に着脱可能に保持させるために、前記保持部材は、前記発光パネルが差し込み可能な凹溝を有していて、この凹溝の溝幅が広がる方向に弾性変形可能となっており、前記凹溝の側面には、突起が設けられているとともに、前記発光パネルには、当該発光パネルが凹溝に差し込まれたときに、前記突起が嵌合する嵌合穴が設けられていることが好ましい。
【発明の効果】
【００１０】
本発明によれば、発光パネルに側方から係合して当該発光パネルを着脱可能に保持する保持部材を、筐体の開口する方向に揺動可能となるように筐体に支持させたから、例えば照明器具が天井に配設される場合には、保持部材を下方に揺動させれば、保持部材が発光パネルに係合する方向を下方に向けることができるため、その状態で発光パネルを下方に引き抜けば発光パネルを取り外すことができ、逆に発光パネルを取り付けるときには、発光パネルを下方から押し上げれば発光パネルを保持部材に係合させることができる。すなわち、高い作業台を使用しなくても保持部材に対する発光パネルの着脱を行うことができるようになるため、発光パネルの交換の作業性を向上させることができる。
【００１１】
また、保持部材を揺動可能に支持する筐体の揺動支持部に給電部を設け、保持部材に、揺動支持部の給電部と発光パネルの端子部とを電気的に接続するための中継端子を設けたから、発光パネルを保持部材に保持させるだけで、発光パネルに電力を供給できるようになる。
さらに、給電部と中継端子とは、保持部材が筐体の開口する方向に揺動したときに互いに非接触となり、保持部材が筐体の開口する方向と反対方向に揺動して発光パネルが筐体内に収容されたときに互いに接触するように構成したから、ユーザーが発光パネルを交換するために保持部材を下方に揺動させたときには、発光パネルへの通電を確実にＯＦＦにすることができ、交換作業の安全性を確保することができるとともに、ユーザーが発光パネルを筐体内に収容するために保持部材を上方に揺動させたときには、発光パネルへの通電を自動的にＯＮにすることができる。
【発明を実施するための最良の形態】
【００１２】
以下、本発明を実施するための最良の形態について、図面を参照しながら詳細に説明する。
【００１３】
図１に示すように、本発明の一実施形態に係る発光パネル式照明器具１０は、天井６に配設されるものであり、略水平な姿勢で表面１ａから下方に光を放射する板状の発光パネル１と、この発光パネル１を裏面１ｂ側から覆って収容する筐体３と、この筐体３内に配設されて、発光パネル１を保持する保持部材２とを備えている。なお、本発明の発光パネル式照明器具は、天井に配設されるものに限らず、例えば床面に垂直な壁面に配設されるものであってもよい。また、本実施形態では、説明の便宜のために、図１（ａ）において、右側を後方、左側を前方、紙面と直交する方向のうち奥側（図１（ｂ）では下側）を左方、手前側（図１（ｂ）では上側）を右方という。
【００１４】
筐体３は、天井６に取り付けられるものであり、下方に開口する凹部３１と、この凹部３１の開口周縁部から外側に広がるつば部３２とを有している。この筐体３は、例えば鋼板または合成樹脂等で構成されている。
【００１５】
凹部３１は、平面視で矩形状の底壁３１ａと、この底壁３１ａの周縁部から下方に延在する矩形筒状の周壁３１ｂとからなっている。そして、周壁３１ｂの内側後面には、略中央位置に、保持部材２を揺動可能に支持するための左右一対の揺動支持部３３が設けられているとともに、底壁３１ａの下面には、前側位置に、保持部材２の揺動を規制するための被係合部３５が設けられている。なお、揺動支持部３３の詳細については後述する。
【００１６】
発光パネル１は、有機ＥＬを利用したものであり、平面視で矩形状をなしている。具体的には、発光パネル１は、図３および４に示すように、基板１１と、この基板１１の上面に積層された第１電極層１２、有機発光層１３および第２電極層１４からなる有機ＥＬ層と、第１封止部材１５および第２封止部材１６とを備えている。すなわち、基板１１の下面が発光パネル１の表面１ａを構成し、第２封止部材１６の上面が発光パネル１の裏面１ｂを構成している。
【００１７】
基板１１は、前記有機ＥＬ層を支持するための平板状の部材であり、有機発光層１３で発光する光の波長に対して透明な材料、例えばガラス等からなる。そして、基板１１の上面の後端部に、電力の供給を受けるための陽極端子部１２１および陰極端子部１４１が左右に並んで設けられている。また、基板１１には、陽極端子部１２１および陰極端子部１４１を挟んで左右両側に、当該基板１１を貫通する嵌合穴１８が設けられている。
【００１８】
第１電極層１２は、有機発光層１３で発光する光の波長に対して透明な材料からなる導電性の薄膜であり、陽極となる。第１電極層１２は、有機発光層１３が可視光を発光するので、例えばＩＴＯ（Indium Tin Oxide）等で形成される。第１電極層１２は、その一部が後方に向かって第１封止部材１５から露出するように引き出されて陽極端子部１２１を形成している。
【００１９】
有機発光層１３は、蛍光物質の有機材料又は蛍光物質を含む有機材料からなる発光層を少なくとも含んで構成され、必要に応じて、正孔注入層、正孔輸送層、電子輸送層および電子注入層等を備える。より具体的には、第１電極層１２および第２電極層１４も記載すると、例えば以下の層構造である。
（１）（第１電極層１２；陽極）／発光層／（第２電極層１４；陰極）
（２）（第１電極層１２；陽極）／正孔輸送層／発光層／（第２電極層１４；陰極）
（３）（第１電極層１２；陽極）／発光層／電子輸送層／（第２電極層１４；陰極）
（４）（第１電極層１２；陽極）／正孔輸送層／発光層／電子輸送層／（第２電極層１４；陰極）
（５）（第１電極層１２；陽極）／正孔注入層／正孔輸送層／発光層／電子輸送層／電子注入層／（第２電極層１４；陰極）
第２電極層１４は、有機発光層１３で発光する波長の光を反射する材料からなる導電性の薄膜であり、陰極となる。第２電極層１４は、例えばアルミニウム（Ａｌ）、アルミリチウム（Ａｌ：Ｌｉ）およびマグネシウム銀（Ｍｇ：Ａｇ）等の金属や合金等で形成される。第２電極層１４は、その一部が第１電極層１２と同様に後方に向かって第１封止部材１５から露出するように引き出されて陰極端子部１４１を形成している。
【００２０】
第１封止部材１５および第２封止部材１６は、基板１１と協同して有機発光層１３を気密に封止するための絶縁性の部材である。例えば接着性を有する樹脂製の第１封止部材１５が、陽極端子部１２１を除く第１電極層１２、有機発光層１３および陰極端子部１４１を除く第２電極層１４を覆うように塗布され、例えばガラス製の板状部材からなる第２封止部材１６が、第１封止部材１５を介して第２電極層１４上に載せられて圧力が加えられることによって、第２封止部材１６が第１封止部材１５によって第２電極層１４に接着されると共に、第２封止部材１６の周縁部が第１封止部材１５によって基板１１に気密に接着して接合される。これによって第１封止部材１５および第２封止部材１６は、基板１１と協同して有機発光層１３を気密に封止する。
【００２１】
保持部材２は、発光パネル１に側方から係合して当該発光パネル１を着脱可能に保持するものであり、左右方向に延びるとともに上下方向に扁平な直方体状の本体部２１と、この本体部２１の後面の中央部から後方に張り出す張出部２２とを有している。この保持部材２は、例えば合成樹脂等で構成されている。
【００２２】
本体部２１の前面には、当該前面の全幅に亘って左右方向に延びるとともに後方に窪む凹溝２１ａが設けられている。この凹溝２１ａの溝幅は、図５に示すように、発光パネル１の板厚よりも僅かに大きく設定されていて、凹溝２１ａ内に発光パネル１が表面１ａと平行な方向に差し込み可能となっている。また、本体部２１は、凹溝２１ａの溝幅が広がる方向に弾性変形可能となっている。
【００２３】
さらに、凹溝２１ａの発光パネル１を挟み込む両側面２１ｃには、発光パネル１の嵌合穴１８に対応する位置に、嵌合穴１８に嵌合可能な半球状の突起２１ｂがそれぞれ設けられている。そして、発光パネル１を凹溝２１ａに差し込むと、突起２１ｂが発光パネル１に押されることにより本体部２１が外側に広がるように弾性変形するとともに、嵌合穴１８が突起２１ｂに合致する位置に来たときには、本体部２１の復元力により突起２１ｂが嵌合穴１８に嵌合し、これにより発光パネル１と保持部材２とが係合して発光パネル１が保持部材２に保持される。逆に、発光パネル１を無理引きすれば、本体部２１が再度外側に広がるように弾性変形することにより突起２１ｂと嵌合穴１８との嵌合状態が解除されて、発光パネル１を保持部材２から取り外すことができる。
【００２４】
前記筐体３の揺動支持部３３は、図６に示すように、断面矩形状で前後方向に延びている。なお、揺動支持部３３の前端部は、丸みを帯びた形状に形成されている。そして、これらの揺動支持部３３の間に保持部材２の張出部２２が嵌り込むようになっている。
【００２５】
張出部２２と揺動支持部３３とには、左右方向に延在する揺動軸３４（図１参照）が挿通可能な挿通穴２２ｂ，３３ｂが形成されており、これらの挿通穴２２ｂ，３３ｂに揺動軸３４が挿通されることにより、保持部材２が図１（ａ）に示す水平位置と図２に示す垂直位置との間で上下方向に揺動可能となるように揺動支持部３３に支持される。
【００２６】
また、発光パネル１の裏面１ｂの前側位置には、保持部材２が水平位置に揺動して発光パネル１が凹部３１内に収容されたときに、その状態を保つために筐体３の被係合部３５に係合して保持部材２の揺動を規制する係合部１７が設けられている。この係合部１７は、前後方向に弾性変形可能となっており、被係合部３５に着脱可能に係合するようになっている。
【００２７】
次に、図６および図７を参照して、発光パネル１に電力を供給するための構成を説明する。
【００２８】
各揺動支持部３３には、他方の揺動支持部３３に対向する側の対向面３３ａに、発光パネル１に電力を供給するための給電部４Ａまたは４Ｂが設けられている。これらの給電部４Ａ，４Ｂは、導電性の金属材料で構成されていて、揺動支持部３３に沿って前後方向に延在する直線部４３を有しており、この直線部４３の後端部が図略の給電回路に配線等を介して接続されている。
【００２９】
右側の給電部４Ｂは、挿通穴３３ｂと同心のリング状の接点部４２を有している一方、左側の給電部４Ａは、挿通穴３３ｂと同心の円弧状であって挿通穴３３ｂの後方位置から略４５°上方に向かう円弧状の接点部４１を有している。
【００３０】
また、保持部材２の内部には、発光パネル１の陽極端子部１２１と給電部４Ｂとを電気的に接続するための中継端子５Ｂと、発光パネル１の陰極端子部１４１と給電部４Ａとを電気的に接続するための中継端子５Ａとが配設されている。これらの中継端子５Ａ，５Ｂは、凹溝２１ａを挟んで対向する上下（図６では前後）一対の第１板ばね部５１と、第１板ばね部５１の保持部材２における内側の後端部から後方に延在し、張出部２２の左右両側面２２ａから露出する左右方向に扁平な第２板ばね部５２，５３とを有している。
【００３１】
各第１板ばね部５１の先端部には、凹溝２１ａ内に突出するように弓なりに湾曲する接点部５１ａが形成されている。そして、凹溝２１ａに発光パネル１が差し込まれて突起２１ｂが嵌合穴１８に嵌合したときに、発光パネル１の陽極端子部１２１および陰極端子部１４１が形成された部分が第１板ばね部５１の接点部５１ａにそれぞれ挟み込まれることにより、各接点部５１ａと各端子部１２１，１４１とが電気的に接続される。
【００３２】
右側の中継端子５Ｂの第２板ばね部５３は、先端部に挿通穴２２ｂと同心のリング状の接点部５３ａを有している。そして、第２板ばね部５３は、接点部５３ａが給電部４Ｂの接点部４２に押圧されるように、少し開き気味に形成されている。また、接点部５３ａは、リング状をなしているので、保持部材２が揺動しても、常に給電部４Ｂの接点部４２に接触する。
【００３３】
左側の中継端子５Ａの第２板ばね部５２は、先端部に挿通穴２２ｂと同心の円弧状であって挿通穴２２ｂの後方位置（図６では上側位置）から略１８０°上方および前方に向かう円弧状の接点部５２ａを有している。そして、第２板ばね部５２は、接点部５２ａが給電部４Ａの接点部４１に押圧されるように、少し開き気味に形成されている。また、接点部５２ａは、前記のような円弧状をなしているので、図７（ａ）に示すように、保持部材２が水平位置に揺動したときには、接点部４１と接触するが、図７（ｂ）に示すように、保持部材２が垂直位置に揺動したときには、接点部４１から離間して非接触となる。
【００３４】
本実施形態の発光パネル式照明器具１０では、発光パネル１に側方から係合して当該発光パネル１を着脱可能に保持する保持部材２を、凹部３１の開口する方向である下方に揺動可能となるように筐体３に支持させたから、係合部１７と被係合部３５との係合状態を解除して、保持部材２を下方に揺動させれば、保持部材２が発光パネル１に係合する方向を下方に向けることができるため、その状態で発光パネル１を下方に引き抜けば発光パネル１を取り外すことができ、逆に発光パネル１を取り付けるときには、発光パネル１を下方から押し上げれば発光パネル１を保持部材２に係合させることができる。すなわち、高い作業台を使用しなくても保持部材２に対する発光パネル１の着脱を行うことができるようになるため、発光パネル１の交換の作業性を向上させることができる。
【００３５】
また、保持部材２を揺動可能に支持する揺動支持部３３に給電部４Ａ，４Ｂを設け、保持部材２に、給電部４Ａ，４Ｂと発光パネル１の端子部１２１，１４１とを電気的に接続するための中継端子５Ａ，５Ｂを設けたから、発光パネル１を保持部材２に保持させるだけで、発光パネル１に電力を供給できるようになる。
【００３６】
さらに、給電部４Ａの接点部４１と中継端子５Ａの接点部５２ａとを、保持部材２が垂直位置に揺動したときに互いに非接触となり、保持部材２が水平位置に揺動したときに互いに接触するように構成したから、ユーザーが発光パネル１を交換するために保持部材２を下方に揺動させたときには、発光パネル１への通電を確実にＯＦＦにすることができ、交換作業の安全性を確保することができるとともに、ユーザーが発光パネル１を筐体３の凹部３１内に収容するために保持部材２を上方に揺動させたときには、発光パネル１への通電を自動的にＯＮにすることができる。
【００３７】
ここで、発光パネル１が凹部３１内に収容された状態を保つために、保持部材２の揺動を規制するには、例えば磁石を用いることも可能であるが、本実施形態のように、被係合部３５と係合部１７とで機械式に保持部材の揺動を規制すれば、安全性を向上させることができる。
【００３８】
また、本実施形態では、発光パネル１に嵌合穴１８を設けるとともに、保持部材２の凹溝２１ａの両側面２１ｃに嵌合穴１８に嵌合可能な突起２１ｂを設けたから、簡単な形状で発光パネル１を保持部材２に着脱可能に保持させることができる。
【００３９】
さらに、嵌合穴１８は、陽極端子部１２１および陰極端子部１４１を挟んで左右両側に設けられているので、各端子部１２１，１４１と中継端子５Ａ，５Ｂの各接点部５１ａとの接触状態が安定するようになる。
【００４０】
なお、前記実施形態では、陰極端子部１４１に電気的に接続する左側の中継端子５Ａおよび給電部４Ａの接点部５２ａ，４１を円弧状にした形態を示したが、陽極端子部１２１に電気的に接続する右側の中継端子５Ｂおよび給電部４Ｂの接点部５３ａ，４２を円弧状にしてもよい。
【００４１】
さらに、中継端子５Ａ，５Ｂの形状は、適宜選定可能である。
【００４２】
また、前記実施形態では、凹部３１の周壁３１ｂに揺動支持部３３を設けているが、揺動支持部３３は、底壁３１ａに設けられていてもよい。また、揺動支持部３３は、左右一対となっている必要はなく、それらが一体に構成されたものであってもよい。
【００４３】
さらには、保持部材２を凹部３１内で着脱可能に固定するには、例えばインテリアラックの扉等に採用されているような一度押すとロックされ、二度押すとロックが解除される機構を採用することも可能である。
【００４４】
また、嵌合穴１８は、貫通穴で構成されている必要はなく、有底状の凹部で構成されていてもよいし、突起２１ｂは、凹溝２１ａの側面２１ｃの一方にのみ設けられていてもよい。
【００４５】
また、発光パネル１Ａの形状は、平面視で円形状または多角形状等であってもよいし、凹部２１の形状も、発光パネル１Ａの形状に合わせて適宜変更可能である。
【００４６】
なお、発光パネル１は、有機ＥＬを利用したものに限らず、無機ＥＬを利用したものであってもよい。
【図面の簡単な説明】
【００４７】
【図１】本発明の一実施形態に係る発光パネル式照明器具を示す図であり、（ａ）は側面断面図、（ｂ）は下面図である。
【図２】保持部材を下方に揺動させたときの発光パネル式照明器具の側面断面図である。
【図３】発光パネルの平面図である。
【図４】（ａ）は図３のＩ−Ｉ線断面図、（ｂ）は図３のＩＩ−ＩＩ線断面図である。
【図５】保持部材および発光パネルの要部拡大側面断面図である。
【図６】保持部材および揺動支持部の分解斜視図である。
【図７】給電部と中継端子との関係を示す図であり、（ａ）は保持部材を上方に揺動させたときの状態を示し、（ｂ）は保持部材を下方に揺動させたときの状態を示す。
【符号の説明】
【００４８】
１    発光パネル
１ａ  表面
１ｂ  裏面
１２１  陽極端子部
１４１  陰極端子部
１７  係合部
１８  嵌合穴
２    保持部材
２１  本体部
２１ａ  凹溝
２１ｂ  突起
２２  張出部
３    筐体
３３  揺動支持部
３４  揺動軸
３５  被係合部
４Ａ，４Ｂ  給電部
５Ａ，５Ｂ  中継端子
１０  発光パネル式照明器具
【図１】
0004618171.tif 000002
【図２】
0004618171.tif 000003
【図３】
0004618171.tif 000004
【図４】
0004618171.tif 000005
【図５】
0004618171.tif 000006
【図６】
0004618171.tif 000007
【図７】
0004618171.tif 000008